(57)【要約】      （修正有）【課題】スイッチ端子部作業の確実性を向上させる、カードコネクタを提供する。【解決手段】本冷陰極管用コネクタユニットは、ブラケットと複数の端子を包含し、該ブラケットはベースを具え、該ベースに複数の一体成形された端子収容座体が設けられ、ベースの一端に第１係止部が凸設され、ベースの別端に第２係本考案の提供するカードコネクタは、絶縁本体１０、複数の導電端子２０、カード取り出し機構、スイッチ端子部３０、及び被覆外殻５０を備える。絶縁本体にはカード挿入空間１４とスライド空間を設ける。複数の導電端子は絶縁本体上に固定支持させる。カード取り出し機構４０はスライド空間内に設置し、スライド体を備える。スイッチ端子部は絶縁本体上に装着し、固定端子３１と弾性端子３２を備え、固定端子は第一接触部３１２を備え、弾性端子は第二接触部３２３を備える。被覆外殻は絶縁本体に嵌設する。該カードコネクタは、電子カード挿入時に、スライド体もまた前方向にスライドし、スライド体が弾性端子３２の第二接触部３２３を圧することにより、それと固定端子の第一接触部３１２とが接触し、電気接続する。【選択図】図２
0003156054.tif 000002
【実用新案登録請求の範囲】
【請求項１】
絶縁本体、カード取り出し機構、複数の導電端子、スイッチ端子部、被覆外殻を備えるカードコネクタにおいて、
絶縁本体は、スライド空間を設け、絶縁本体のカード挿入空間の一方側にはスライド空間を設け、スライド空間には側面プッシュガイド溝を形成し、
複数の導電端子は、絶縁本体上に固定支持し、
カード取り出し機構は、スライド空間内に設置し、カード取り出し機構はスライド体を備え、スライド体はスライド可能状態でスライド空間内に設置し、
スイッチ端子部は、固定端子と弾性端子を備え、固定端子と弾性端子の一端は絶縁本体上に固定装着し、他の一端はスライド空間内に収め、固定端子は第一固定支持部と、第一固定支持部から一方側に延伸する第一接触部とを備え、弾性端子は第二固定支持部と、第二固定支持部から一方側に湾曲延伸する弾力圧止部と、弾力圧止部から一方側に延伸する第二接触部を備え、前記スライド体はスライド可能状態で側面プッシュガイド溝に延伸し、しかも弾性端子の弾力圧止部をプッシュすると、弾力圧止部に動かされる第二接触部が第一接触部を圧して第一接触部と電気接続し、
被覆外殻は、絶縁本体に嵌設することを特徴とするカードコネクタ。
【請求項２】
請求項１記載のカードコネクタにおいて、前記絶縁本体のスライド空間後方側の底壁上には位置限定体を突設、スライド空間の位置限定体一方側に対応する絶縁本体に固定体を設け、固定体の上表面には軌跡曲線溝を形成し、絶縁本体の一端に第一定位柱を設置し、前記カード取り出し機構には、更に、弾性部品、ガイド棒、及び弾性片を備え、スライド体には収納溝を設け、スライド体の収納溝の一方側上には第二定位柱を突設、スライド体の収納溝の他方側上には固定孔を設け、弾性部品の一端は絶縁本体の第一定位柱上に嵌設、他の一端はスライド体の第二定位柱上に嵌設、ガイド棒の一端は固定孔内に固定し、他の一端は軌跡曲線溝内に可動状態で組み入れ、弾性片は収納溝内に固定装着することを特徴とするカードコネクタ。
【請求項３】
請求項２記載のカードコネクタにおいて、前記弾性片は嵌合固定部を備え、嵌合固定部の底部には下方向に突出する嵌合支持体を形成し、前記収納溝の底壁にはスライド体に貫通する固定溝を設け、
嵌合固定部は前記収納溝内に収められ、嵌合支持体は前記固定溝内に固定支持されることを特徴とするカードコネクタ。
【請求項４】
請求項３記載のカードコネクタにおいて、前記嵌合固定部の一端には湾曲するガイド部を形成し、ガイド部の中央部にはガイド体を形成し、ガイド部の末端には湾曲する停止制御部を形成し、
前記被覆外殻は、カバー板を備え、カバー板のカード取り出し機構に対応する箇所に狭溝を設け、前記ガイド体はスライド可能状態で狭溝に収められることを特徴とするカードコネクタ。
【請求項５】
請求項４記載のカードコネクタにおいて、前記狭槽の前端幅は後方から前方に徐々に広がることを特徴とするカードコネクタ。
【請求項６】
請求項１記載のカードコネクタにおいて、前記絶縁本体のスライド空間後方側壁の両側箇所にはそれぞれ第一挿入溝と第二挿入溝を設け、前記第一固定支持部と第二固定支持部はそれぞれ絶縁本体の第一挿入溝と第二挿入溝内に挿入固定することを特徴とするカードコネクタ。
【考案の詳細な説明】
【技術分野】
【０００１】
本考案は、一種のコネクタに関するもので、特にカードコネクタに係る。
【背景技術】
【０００２】
図５に示すとおり、公知のカードコネクタ１００’は、絶縁本体１０’、複数の導電端子２０’、スイッチ端子部３０’、カード取り出し機構４０’、及び被覆外殻５０’を含む。絶縁本体１０’は、カード挿入空間１１’を具える。複数の導電端子２０’は絶縁本体１０’を固定支持する。スイッチ端子部３０’は固定端子３１’と弾性端子３２’を含み、固定端子３１’は、第一固定支持部３１１’を備え、弾性端子３２’は弾力圧止部３２１’と、弾力圧止部方向の一側面に延伸形成した第二接触部３２２’を備え、固定端子３１’及び弾性端子３２’はそれぞれ絶縁本体１０’上に固定装着し、且つ、固定端子３１’の第一接触部３１１’と弾性端子３２’の第二接触部３２２’は何れも、絶縁本体の同一側に位置させる。第二接触部３２２’は弾性をもって第一接触部３１１’を圧止し、電気接続する。カード取り出し機構４０’はカード挿入空間１１’一方側に設置し、カード取り出し機構４０’にはスライド体４１’を備え、スライド体４１’は可動状態で絶縁本体１０’に設置する。被覆外殻５０’は絶縁本体１０’上に嵌合する。
【０００３】
ただし、前記公知のカードコネクタ１００’は、電子カード（未図示）をカードコネクタ１００’のカード挿入空間１１’内に挿入し、規定位置に挿入する過程において、電子カードの一方側が弾性端子３２’の弾力圧止部３２１’を押圧すると、弾性端子３２’は固定端子３１’の一方側方向に動き、これにより、第二接触部３２２’と第一接触部３１１’を接触させ、電気接続が生じる。しかし、電子カード及びカード挿入空間１１’のサイズが大きいため、製造及び組み立て時に容易に誤差が発生し、往々にして電子カードは安定して弾性端子３２’を規定位置まで押せず、スイッチ端子部３０’の作業性能に影響を及ぼしている。
【考案の概要】
【考案が解決しようとする課題】
【０００４】
本考案の目的は前記公知技術に存在する欠点に対し、スイッチ端子部作業の確実性を向上させるカードコネクタを提供することにある。
【課題を解決するための手段】
【０００５】
上述目的を実現するために、本考案のカードコネクタは、絶縁本体、複数の導電端子、カード取り出し機構、スイッチ端子部、及び被覆外殻を備える。絶縁本体にはカード挿入空間を設け、絶縁本体はカード挿入空間の一方側にスライド空間を設け、スライド空間には側面プッシュガイド溝を備える。複数の導電端子は絶縁本体上に固定支持させる。カード取り出し機構はスライド空間内に設置し、カード取り出し機構はスライド体を備え、スライド体は可動状態でスライド空間内に設置する。スイッチ端子部は固定端子と弾性端子を備え、固定端子と弾性端子の一端は絶縁本体上に固定装着し、他の一端はスライド空間内に収める。固定端子は第一固定支持部と、第一固定支持部から一方側に延伸する第一接触部とを備える。弾性端子は第二固定支持部と、第二固定支持部から一方側に湾曲延伸する弾力圧止部と、弾力圧止部から一方側に延伸する第二接触部を備える。前記スライド体は可動状態で側面プッシュガイド溝に延伸し、しかも弾性端子の弾力圧止部をプッシュすると、弾力圧止部に動かされる第二接触部が第一接触部を圧して第一接触部と電気接続する。被覆外殻は絶縁本体に嵌設する。
【考案の効果】
【０００６】
本考案のカードコネクタのスイッチ端子部はスライド空間内に装着し、電子カードをカードコネクタのカード挿入空間内に挿入し、しかも規定位置まで挿入する過程において、電子カードによって動かされるスライド体は前方向にスライドし、スライド体はスライド可能状態で側面プッシュガイド溝に延伸し、弾性端子の弾力圧止部を圧することにより、弾力圧止部で動かされる第二接触部は第一接触部を圧し、しかも第一接触部と電気接続し、スライド体とスライド空間の横方向サイズが小さい故に、製造及び組み立て時の製造誤差を便利にコントロールでき、スイッチ端子部の作業の正確性を向上させることが可能となる。
【図面の簡単な説明】
【０００７】
【図１】本考案のカードコネクタの実施例に関する立体図である。
【図２】図１に示したカードコネクタの立体分解図である。
【図３】図１に示したカードコネクタの絶縁本体の立体図である。
【図４】図１に示したカードコネクタの被覆外殻の半分を切り取り、電子カードを挿入した状態の構造図である。
【図５】公知のカードコネクタに関する立体分解図である。
【考案を実施するための形態】
【０００８】
図１及び図２に示すとおり、本考案のカードコネクタ１００は、絶縁本体１０、複数の導電端子２０、スイッチ端子部３０、カード取り出し機構４０、及び被覆外殻５０を備える。
【０００９】
図２及び図３に示すとおり、絶縁本体１０はほぼ矩形体形状を為し、絶縁本体１０上には端子収納溝１１を開け、端子収納溝１１前端にはハンダ溝１２を設ける。絶縁本体１０の端子収納溝１１の右側にはスライド空間１３を設け、絶縁本体１０の端子収納溝１１上方にはカード挿入空間１４を設ける。絶縁本体１０のスライド空間１３後方側の底壁上には位置限定体１３１を設置し、スライド空間１３の位置限定体１３１一方側に対応する絶縁本体１０の後方壁箇所にスライド空間１３内側方向に突出する一本状の固定体１５を形成し、固定体１５の上表面後方部には軌跡曲線溝１５１を形成し、スライド空間１３前端の固定体１５一方側には側面プッシュガイド溝１３２を形成する。絶縁本体１０において、固定体１５一方側のスライド空間１３の後方側壁両側には第一挿入溝１８と第二挿入溝１９を設け、絶縁本体１０前端のスライド空間１３一方側上に第一定位柱１６を突設、絶縁本体１０両側壁外側には複数の嵌合体１７を設ける。
【００１０】
図２及び図４に示すとおり、複数の導電端子２０は一体モールド内成型で絶縁本体１０内に固定支持する。それらの導電端子２０は、それぞれ固定部２１、固定部２１後端より後方向に且つ上方向に傾斜延伸して形成した接触部２２、及び固定部２１の前端より下方向且つ前方向に湾曲延伸して形成したハンダ部２３を備える。導電端子２０の接触部２２は、端子収納溝１１箇所に置き、上方向にカード挿入空間１４内に延伸させ、それに対応しているカード挿入空間１４に挿入する電子カード６０上の電気的接点と接触することにより、電気的接続を行う。導電端子２０のハンダ部２３は絶縁本体１０のハンダ溝１２内に延伸し、対応する電気回路板（未図示）の電気的接点上にハンダ付けする。
【００１１】
図２及び図３に示すとおり、スイッチ端子部３０は固定端子３１と弾性端子３２を備える。固定端子３１は第一固定支持部３１１を備え、第一固定支持部３１１の一端には延伸する第一接触部３１２を形成、第一固定支持部３１１の他の一端下側縁は一方側に湾曲延伸した第一ハンダ部３１３を形成する。弾性端子３２は第二固定支持部３２１を備え、第二固定支持部３２１の一端には湾曲延伸する弾力圧止部３２２を形成、弾力圧止部３２２には一方側方向に延伸する第二接触部３２３を形成、第二接触部３２３は絶縁本体１０の位置限定体１３１上を圧した状態で連接し、位置限定体１３１は、第二接触部３２３の左側方向の運動範囲を限定する。第二固定支持部３２１の他の一端下側縁は、一方側に湾曲延伸する第二ハンダ部３２４を形成する。第一固定支持部３１１と第二固定支持部３２１はそれぞれ絶縁本体１０の第一挿入溝１８と第二挿入溝１９内に挿入固定し、第一接触部３１２と第二接触部３２３は絶縁本体１０のスライド空間１３内に延伸させ、第一ハンダ部３１３と第二ハンダ部３２４はそれぞれ、対応する電気回路板上の電気的接点にハンダ付けする。
【００１２】
カード取り出し機構４０装置は絶縁本体１０のスライド空間１３内に配置する。カード取り出し機構４０はスライド体４１、弾性部品４２、ガイド棒４３、及び弾性片４４を備える。スライド体４１は可動状態でスライド空間１３内に設置し、しかもスライド体４１の上部を可動状態で側面プッシュガイド溝１３２内に延伸させ、スライド体４１の中央部上表面には下方向で一本状の収納溝４１１を設け、収納溝４１１の底壁にはスライド体４１に貫通する固定溝４１４を設け、スライド体４１の収納溝４１１の一方側上には第二定位柱４１２を突設、スライド体４１の収納溝４１１の他方側上には固定孔４１３を設ける。弾性部品４２の一端は絶縁本体１０の第一定位柱１６上に嵌設、他の一端はスライド体４１の第二定位柱４１２上に嵌設、弾性部品４２は前方向に移動するリターン力をスライド体４１に与える。ガイド棒４３の両端はそれぞれ下方向に湾曲延伸する固定フック４３１とスライドガイドフック４３２を備え、固定フック４３１はスライド体４１の固定孔４１３内に挿入固定し、スライドガイドフック４３２は固定体１５の軌跡曲線溝１５１内に可動状態で組み入れる。ガイド棒４３は軌跡曲線溝１５１内で、二段階の運動をし、カード挿入と、カード退出効果を達成する。弾性片４４は嵌合固定部４４１を備え、嵌合固定部４４１の底部には下方向に突出する嵌合支持体４４５を形成、嵌合支持体４４５をスライド体４１の固定溝４１４内に固定支持すると嵌合固定部４４１は前記嵌合固定部４４１内に固定される。嵌合固定部４４１の一端は前方向に湾曲するガイド部４４２を形成し、ガイド部４４２の中央部には上方向に突出するガイド体４４３を形成し、ガイド部４４２の末端には湾曲する停止制御部４４４を形成する。
【００１３】
図２及び図４に示すとおり、被覆外殻５０は絶縁本体１０上に嵌設する。被覆外殻５０は、カバー板５１と、カバー板５１の一方側からそれぞれ下方向に延伸する二つの側板５２とを備え、二つの側板５２上にはそれぞれ複数の嵌合連結口５２１を設け、複数の嵌合連結口５２１はそれぞれ絶縁本体１０の嵌合体１７と係合して、被覆外殻５０と絶縁本体１０を一体に接合する。被覆外殻５０のカバー板５１には、カード取り出し機構４０のガイド棒４３に対応する開口５１１を設け、開口５１１の後方縁箇所に下方向に傾斜する弾性アーム５１２を延伸させ、弾性アーム５１２下表面がガイド棒４３を押圧することにより、ガイド棒４３は係合する軌跡曲線溝１５１の中で安定する。被覆外殻５０のカバー板５１には、カード取り出し機構４０の弾性片４４に対応する狭溝５１３を設け、狭溝５１３の前端の幅は後方から前方に徐々に広がり、前記弾性片４４のガイド体４４３は可動状態で狭溝５１３内に収められる。
【００１４】
電子カード６０の右側には内側方向にへこんだ切口６１を設け、カード取り出し時、弾性片４４の停止制御部４４４が切口６１内に入り、電子カード６０を圧止する。この狭溝５１３を設置し、並びに狭溝５１３に沿ってスライドするガイド体４４３を制限することにより、カード挿入、取り出しの時に、弾性片４４の傾斜を防止し、弾性片４４の停止制御部４４４が電子カード６０に安定したサポート力を確実に提供し、カード飛び防止機能を実現する。しかも、狭溝５１３の前端幅が後方から前方に徐々に広がる設計により、カード取り出し過程においてガイド体４４３がここまでスライドした時に、カード飛び防止をするのと同時に、弾性片４４の右方向運動伸縮量に制限を加えることなく、電子カード６０の取り出しを便利にする。
【００１５】
前述したとおり、本考案のカードコネクタ１００のスイッチ端子部３０はスライド空間１３内に装着し、電子カード６０をカードコネクタ１００のカード挿入空間１４内に挿入し、規定位置まで挿入する過程において、電子カード６０によって動かされたスライド体４１は前方にスライドし、スライド体４１の上部は可動状態で側面プッシュガイド溝１３２内に延伸し、しかも弾性端子３２の弾力圧止部３２２をプッシュすると、弾力圧止部３２２によって動かされる第二接触部３２３は第一接触部３１２を圧し、しかも第一接触部３１２と電気接続し、スライド体４１とスライド空間１３の横方向サイズが小さい故に、製造及び組み立て時、製造誤差を便利に制御し、よって、スイッチ端子部３０の作業の正確性を向上させることが可能となる。
【符号の説明】
【００１６】
１０  絶縁本体            １００  カードコネクタ      １１  端子収納溝  
１２  ハンダ溝            １３  スライド空間          １３１  位置限定体
１３２  側面プッシュガイド溝    １４  カード挿入空間    １５  固定体
１５１  軌跡曲線溝        １６  第一定位柱            １７  嵌合体
１８  第一挿入溝          １９  第二挿入溝            ２０  導電端子
２１  固定部              ２２  接触部                ２３  ハンダ部
３０  スイッチ端子部      ３１  固定端子              ３１１  第一固定支持部
３１２  第一接触部        ３１３  第一ハンダ部        ３２  弾性端子
３２１  第二固定支持部    ３２２  弾力圧止部          ３２３  第二接触部
３２４  第二ハンダ部      ４０  カード取り出し機構    ４１  スライド体
４１１  収納溝            ４１２  第二定位柱          ４１３  固定孔
４１４  固定溝            ４２  弾性部品              ４３  ガイド棒
４３１  固定フック        ４３２  スライドガイドフック    ４４  弾性片
４４１  嵌合固定部        ４４２  ガイド部            ４４３  ガイド体
４４４  停止制御部        ４４５  嵌合支持体          ５０  被覆外殻
５１  カバー板            ５１１  開口                ５１２  弾性アーム
５１３  狭溝              ５２  側板                  ５２１  嵌合連結口
６０  電子カード          ６１  切口
【図１】
0003156054.tif 000003
【図２】
0003156054.tif 000004
【図３】
0003156054.tif 000005
【図４】
0003156054.tif 000006
【図５】
0003156054.tif 000007